【手続補正書】
【提出日】平成22年11月8日(2010.11.8)
【手続補正１】
【補正対象書類名】特許請求の範囲
【補正対象項目名】全文
【補正方法】変更
【補正の内容】
【特許請求の範囲】
【請求項１】
許可モジュールが、特定の操作をクライアントデバイスのオブジェクト上で実行するための要求を送信するアクターから前記要求を受信するステップと、
前記許可モジュールが、許可入力を受信するステップであって、前記許可入力は前記アクターのレピュテーションを示すレピュテーション値を含む、ステップと、
前記許可モジュールが、前記レピュテーション値を含む前記許可入力を許可ルールと比較するステップと、
前記許可モジュールが、前記比較に応答して、前記要求に関連する許可決定を出力するステップと
を含む方法を前記クライアントデバイスに実行させるためのコンピューター可読命令を格納したことを特徴とするコンピューター可読記録媒体。
【請求項２】
前記許可決定は、前記要求された操作の実行を許可するか、前記要求された操作の実行を拒否するか、又は前記要求された操作の実行を許可もしくは拒否するかどうかを決定するようユーザーにプロンプト表示で求めることのうちの１つを含むことを特徴とする請求項１に記載のコンピューター可読記録媒体。
【請求項３】
前記方法は、前記許可モジュールが、前記レピュテーション値、要求された前記操作のタイプ、及び前記オブジェクトのセキュリティレベルに基づいて前記許可決定を行うステップをさらに含むことを特徴とする請求項１に記載のコンピューター可読記録媒体。
【請求項４】
前記レピュテーション値は、前記アクターについて、又は前記アクターの要求した操作についての各人間ユーザーの経験を指示する人間ユーザーのグループから受信された入力に基づくことを特徴とする請求項１に記載のコンピューター可読記録媒体。
【請求項５】
前記レピュテーション値は、前記アクターについての各コンピューティングエンティティのレビュー又は分析を指示するコンピューティングエンティティのグループから受信された入力に基づくことを特徴とする請求項１に記載のコンピューター可読記録媒体。
【請求項６】
前記アクターは、コード、ソフトウェア、アプリケーション、ファイル、ドキュメント、ピクチャー、アプレット、又はＡｃｔｉｖｅＸコントロールを含むことを特徴とする請求項１に記載のコンピューター可読記録媒体。
【請求項７】
前記レピュテーション値は単一のレピュテーション値を備え、前記方法は、レピュテーション値ビルダーが、複数の異なるレピュテーションメタデータプロバイダーからの複数のレピュテーションメタデータを前記単一のレピュテーション値に総計するステップをさらに含むことを特徴とする請求項１に記載のコンピューター可読記録媒体。
【請求項８】
許可入力ビルダーが、レピュテーションサービスプロバイダーからレピュテーション値を受信するステップであって、前記レピュテーション値は、特定の操作をクライアントデバイスのオブジェクト上で実行するための要求を送信するアクターのレピュテーションを示す、ステップと、
前記許可入力ビルダーが、少なくとも部分的に前記レピュテーション値に基づいて、前記アクターが前記特定の操作を実行する許可を得るべきであるかどうかを決定する際に使用する許可入力を作成するステップと
を含む方法を前記クライアントデバイスに実行させるためのコンピューター可読命令を格納したことを特徴とするコンピューター可読記録媒体。
【請求項９】
前記許可入力ビルダーが、ユーザーアイデンティティ、アクタータイプ、又はシステムタイプのうちの少なくとも１つを受信するステップをさらに含むことを特徴とする請求項８に記載のコンピューター可読記録媒体。
【請求項１０】
前記許可入力はまた、少なくとも部分的に、受信したユーザーアイデンティティ、アクタータイプ、又はシステムタイプによって作成されることを特徴とする請求項９に記載のコンピューター可読記録媒体。
【請求項１１】
前記レピュテーション値は、複数の人間ユーザーから受信され、前記アクターの実行についての各人間ユーザーの以前の経験を指示するレピュテーションメタデータを備えることを特徴とする請求項８に記載のコンピューター可読記録媒体。
【請求項１２】
前記レピュテーション値は、第１のレピュテーションサービスプロバイダーからの第１のレピュテーション値を含み、
前記許可入力ビルダーが、第２のレピュテーションサービスプロバイダーから第２のレピュテーション値を受信するステップと、
前記許可入力ビルダーが、前記アクターが前記オブジェクトへの前記操作を実行する許可を得るべきであるかどうかを決定する際に使用するために、当該受信した第１のレピュテーション値及び第２のレピュテーション値を単一の総計レピュテーション値に総計するステップと
をさらに含むことを特徴とする請求項８に記載のコンピューター可読記録媒体。
【請求項１３】
前記許可入力ビルダーが、前記許可入力を許可モジュールに出力して、前記許可モジュールが、前記許可入力と許可ポリシーを比較するステップをさらに含むことを特徴とする請求項８に記載のコンピューター可読記録媒体。
【請求項１４】
前記許可モジュールは、前記比較に応答して前記アクターが前記オブジェクトへの前記操作を実行する許可を得るべきであるかどうかに関連する許可決定を自動的に行うように構成されることを特徴とする請求項１３に記載のコンピューター可読記録媒体。
【請求項１５】
レピュテーション値ビルダーが、１つ又は複数のレピュテーションメタデータプロバイダーからレピュテーションメタデータを収集するステップであって、前記レピュテーションメタデータは、特定の操作をコンピューティングデバイスのオブジェクト上で実行するための要求を送信するアクターのレピュテーションについての各レピュテーションメタデータプロバイダーの評価を含む、ステップと、
前記レピュテーション値ビルダーが、前記レピュテーションメタデータから総計レピュテーション値を構築するステップであって、前記総計レピュテーション値は各評価を示し、前記アクターが前記特定の操作を実行する許可を得るべきであるかどうかを決定する際に使用する許可入力に使用するためのものである、ステップと
を含む方法を前記コンピューティングデバイスに実行させるためのコンピューター可読命令を格納したことを特徴とするコンピューター可読記録媒体。
【請求項１６】
前記許可決定は、前記アクターが前記コンピューティングデバイスで操作を稼働又は実行することを許可するかどうかを決定することを特徴とする請求項１５に記載のコンピューター可読記録媒体。
【請求項１７】
前記収集するステップは、コミュニティ投票を実施するステップを含み、前記レピュテーションメタデータプロバイダーのうちの少なくとも１つは前記コミュニティのユーザーを含むことを特徴とする請求項１５に記載のコンピューター可読記録媒体。
【請求項１８】
前記収集するステップは、１つ又は複数のコンピューティングエンティティから前記アクターのレピュテーションに関連する製品レビュー情報を収集するステップを含むことを特徴とする請求項１５に記載のコンピューター可読記録媒体。
【請求項１９】
前記レピュテーションメタデータのうちの少なくとも一部は、前記アクターの実行の履歴を含むことを特徴とする請求項１５に記載のコンピューター可読記録媒体。
【請求項２０】
前記許可決定は、前記レピュテーション値、前記アクターによって要求された操作のタイプ、及び前記アクターが前記操作の実行を要求するオブジェクトの属性に少なくとも部分的に基づくことを特徴とする請求項１５に記載のコンピューター可読記録媒体。